(57)【特許請求の範囲】
【請求項１】
衣服や収納袋等に設けられている紐の端部分に対し、該端部分を内部に入れて抜け止め状態に取り付けられる端部カバーにおいて、
前記端部カバーは、出口側内径を入口側内径より大きくした略筒状の本体部と、前記本体部の出口側に薄肉ヒンジ片部を介して一体に形成されて、前記出口側を閉じると同時に係合して装着される蓋部とからなると共に、
前記薄肉ヒンジ片部は、一端側が前記蓋部の外周に連結され、他端側が前記本体部の出口側外周にあって端面から該本体部の入口に向かって設けられた欠肉部内に位置し、かつ本体部外周と連続した状態に設けられており、
前記本体部に対し前記紐がその端部分を前記入口から前記出口の外へ引き出し、該引き出した端部分に作られる結び目を該本体部内に入れた状態で該結び目を介して抜け止めされ、かつ、前記蓋部を前記薄肉ヒンジ片部を介して回転し装着することで前記結び目の前記出口外への飛び出しを防止可能にしたことを特徴とする紐類の端部カバー。
【請求項２】
前記本体部の出口内周は、対向する部分に設けられた対の平面部と、前記平面部を除く内周部分に設けられた係止突起とを有し、
前記蓋部は、内面に突出して前記本体部の出口に差し込まれる枠状の挿入脚部と、前記挿入脚部の両側の枠部分に設けられた円弧状の片部および前記片部の先端外周に形成した係止突部と、前記挿入脚部の前後の枠部分に設けられた凸部とを有し、前記蓋部を閉じ方向へ押圧することにより蓋部側の係止突部が前記本体部側の係止突部を弾性的に乗り越えて係合すると同時に、前記凸部が前記平面部に圧接する請求項１に記載の紐類の端部カバー。
【発明の詳細な説明】
【０００１】
【発明の属する技術分野】
本発明は、例えば、衣服又は収納袋の開口部回りに配置されている紐の端部分に取り付けられる紐類の端部カバーに関するものである。
【０００２】
【従来の技術】
紐類のうち、本発明を適用した図７に例示される如く衣類の胴部や衿回り、又は収納袋の開口部回り用いられる紐１等では、同図に図示されていないが、紐１の両側部分に結び部を作っておき、その結び部を掴んで引き寄せ易くしたり、衣類や収納袋側の配置部から不用意に抜けないようにしている。また、そのような紐類には、従来から、筒状の端部カバーを用いて、紐の端部分をカバー入口側から出口側に挿通した状態で、前記した結び部を作った後、紐をカバーから抜け方向に引っ張ることで結び部を含む紐の端部分をその端部カバー内に収納して、外観処理を施すことも行われている。本発明はその端部カバーを対象にしている。
【０００３】
【発明が解決しようとする課題】
従来の端部カバーは、出口側内径を入口側内径より大きくして段差を付けた単純な略筒状のものが多く、次のような点等で充分に満足できないものであった。
第１に、紐の端末処理的には、紐の結び部をカバー内の段差を介在して抜け止めしているだけなので、紐の端部分が樹脂カバーの出口側から飛び出し易く取付状態を維持できなくなる。
第２に、装飾機能的には、筒内に入れられた紐の端部分がカバー出口側の開口から見えることから、使用状態での見栄えが悪い。そこで、この改善策としては、出口側の筒部を長くして内部を見え難くすることもあるが、根本的な対策にはならない。
第３に、前記したような各不具合の対策として、例えば、カバーの出口側に蓋部材を装着することも考えられる。しかし、そのような蓋部材は、カバーから不用意に外れて無くなったり、取扱性に欠けるばかりでなく、対応する成形型も必要となる。なお、この種のカバーは紐類用であることから全体が小さく、衣類用のケースでは外径が５〜１０ｍｍ、全長が１０〜１５ｍｍの仕様となることも多い。このため、蓋部材を用いる場合、本体部への装着構造として、例えば、外観性を損なわずに取付強度を増大し難くいと言うように、新たな問題が発生する。
【０００４】
本発明は上記した背景に鑑みてなされたものである。第１の目的はカバーが蓋を有する構造において、蓋がカバーから不用意に外れても無くなる虞を構造的に防ぐことができると共に、取扱性および成形性に優れた紐類の端部カバーを提供することにある。第２の目的は全体が小さな場合にも、外観性を損なうことなく蓋の取付強度を大きくでき、また外観性も良好に維持することができるようにすることにある。更に他の目的は、以下に説明する内容の中で明らかにする。
【０００５】
【課題を解決するための手段】
上記目的を達成するため本発明は、図面に例示される如く、衣服や収納袋等に設けられている紐１の端部分１ａに対し、端部分１ａを内部に入れて抜け止め状態に取り付けられる端部カバー１０において、出口１１ｂ側内径を入口１１ａ側内径より大きくした略筒状の本体部１１と、本体部１１の出口１１ｂ側に薄肉ヒンジ片部１５を介して一体に形成されて、出口１１ｂ側を閉じると同時に係合して装着される蓋部２０とからなると共に、
前記薄肉ヒンジ片部１５は、一端側１５ａが前記蓋部２０の外周に連結され、他端側が前記本体部１１の出口側外周１１ｃにあって端面１２ｂから該本体部の入口１１ａに向かって設けられた欠肉部１４内に位置し、かつ本体部外周と連続した状態に設けられており、
前記本体部１１に対し前記紐１がその端部分１ａを前記入口１１ａから前記出口１１ｂの外へ引き出し、該引き出した端部分に作られる結び目２を該本体部内に入れた状態で該結び目を介して抜け止めされ、かつ、前記蓋部２０を前記薄肉ヒンジ片部１５を介して回転し装着することで前記結び目２の前記出口外への飛び出しを防止可能にしたものである。
【０００６】
この構造によれば、端部カバー１０の装着操作では、蓋部２０の開状態から、紐１の端部分１ａを本体部１１の入口１１ａから出口１１ｂに通しておき、その出口１１ｂ外へ引き出された端部分１ａに結び部２を形成する。次に、紐１を入口１１ａに引いて結び部２を含む端部分１ａを本体部１１内に入れる。その後、蓋部２０は、薄肉ヒンジ片部１５を介して本体部１１の出口１１ｂの端面１２ｂに押し当てると、その出口１１ｂを閉じると同時に係合して装着される。
したがって、この端部カバー１０は、本体部１１の出口１１ｂを蓋部２０にて閉じるようにしたことから、従来品の如く紐１の端部分１ａが本体部１１の出口１１ｂから飛び出すということを防いで、紐１に対する取付状態を構造的に保ち、同時に、本体部１１の出口１１ｂ側における見栄えも向上することができる。これに加え、蓋部２０は、本体部１１に対し薄肉ヒンジ片部１５を介して連結されていることから、本体部１１から不用意に外れても本体部１１より落ちる等して無くなると言うような虞がなく、また本体部１１と一体物として取り扱うことが可能となる。薄肉ヒンジ片部１５としては、以下の形態例の如く、一端側１５ａが蓋部２０の外周に連結されている共に、他端側１５ｂが本体部１１の出口１１ｂ側外周１１ｃに端面１２ｂから入口１１ａに向かって設けられた欠肉部１４内に位置し、かつ本体部外周１１ｃと連続した状態で形成されているため、蓋部２０の閉じ状態で薄肉ヒンジ片部１５を本体部外周１１ｃから突出させずに外観的により良好となる。
ここで、端部カバー１０が適用される紐類としては、各種の身回り品、バック等の収納袋等に設けられる紐を意味し、通常、衣服の胴部や衿回り又は収納袋の開口部回りに配置されている紐が対象となる。
【０００７】
以上の本発明は次のように具体化されることがより好ましい。
すなわち、前記本体部１１の出口内周は、対向する部分に設けられた対の平面部１２ｅと、前記平面部を除く内周部分に設けられた係止突起１３とを有し、  前記蓋部２０は、内面に突出して前記本体部１１の出口に差し込まれる枠状の挿入脚部２２と、前記挿入脚部の両側の枠部分に設けられた円弧状の片部２３および前記片部の先端外周に形成した係止突部２３ａと、前記挿入脚部の前後の枠部分に設けられた凸部２４ａとを有し、前記蓋部２０を閉じ方向へ押圧することにより蓋部側の係止突部２３ａが前記本体部側の係止突部１３を弾性的に乗り越えて係合すると同時に、前記凸部２４ａが前記平面部１２ｅに圧接する構成である。これは、端部カバー１０が外径５〜１０ｍｍ、全長１０〜１５ｍｍと小さくなる場合、蓋部２０の本体部１１に対する係合力ないしは蓋部２０の取付強度を外観を損なわずに増大する上で好適なものとして採用された構造である。要は、各種の係合構造について比較試験し完成されたもので、例えば、蓋部２０側に設けた係止突起を本体部１１の内周に設けた凹部に弾性的に係合するような構成等に比して係合力をより大きくすることが可能となる。
【０００８】
【発明の実施の形態】
以下、本発明の好適な形態を添付図面に基づいて詳細に説明する。なお、以下に述べる形態は、本発明の好適な具体例であるから技術的に好ましい種々の限定が付されている。しかし、本発明の範囲はこれらの形態に限られるものではない。
【０００９】
図１乃至図７は本発明に係る紐類の端部カバーを示し、図１は紐への取付要領と装着状態を示す縦断側面図、図２は端部カバー単品を蓋部を開状態で示す外観図、図３は端部カバー単品を蓋部を閉じ状態で示し、図３（ａ）は正面図、図３（ｂ）は背面図、図３（ｃ）は上面図、図３（ｄ）は下面図である。図４（ａ）は図３（ａ）のＡ−Ａ線断面図、図４（ｂ）は図３（ｃ）のＢ−Ｂ線断面図、図４（ｃ）は側面図である。また、図５と図６は蓋部を開状態で示し、図５（ａ）はその上面図、図５（ｂ）は図６（ａ）のＥ部の拡大図、図６（ａ）は図５（ａ）のＣ−Ｃ線断側面図、図６（ｂ）は図５（ａ）のＤ−Ｄ線断側面図である。図７は端部カバーを使用している状態で示す外観図である。
【００１０】
図１乃至図７において、端部カバー１０は樹脂成形品であり、適用される紐１に対応して設計されて、長さ寸法が約１３ｍｍで、最大径が約１０ｍｍという比較的小さなものである。外観的には、略筒状の本体部１１を主体とし、本体部１１の出口１１ｂ側に薄肉ヒンジ片部１５を介在して設けられた蓋部２０を有しており、使用状態で出口１１ｂが蓋部２０により閉じられる。
【００１１】
ここで、本体部１１は、外周１１ｃを入口１１ａ側から出口１１ｂ側に向かって次第に大きく形成した筒状をなしている。内周には、入口１１ａの端面１２ａから約２ｍｍの長さ位置迄を厚肉部１２ｃに形成し、その厚肉部１２ｃの内径Ｌ1が出口１１ｂ側の内径Ｌ2よりも小さくなっており、肉厚部１２ｃの奥側端面に相当する段差１２ｄを有している。出口１１ｂ側の内周には、円内面の対向する部分を平にした平面部１２ｅが対に設けられていると共に、平面部１２ｅを除く内周部分に係止突起１３が設けられている。平面部１２ｅ同士の間の寸法は他の端面１２ｂ側の内径よりも少しだけ小さくなっている。係止突起１３は、端面１２ｂ側に位置し平面部１２ｅを除く内周部分に長いリブ状に形成されている。本体部１１の出口１１ｂ側の外周１１ｃには薄肉ヒンジ片部１５が一体に突出形成されている。
【００１２】
薄肉ヒンジ片部１５は、一端側１５ａが蓋部２０の外周に一体化されており、他端側１５ｂが出口１１ｂ側の外周１１ｃに設けられた欠肉部１４から延びている。つまり、この欠肉部１４は、図５（ｂ）に示される如く、本体部１１の外周１１ｃにあって、端面１２ｂから入口１１ａに向かって設けられている。そして、他端側１５ｂは、欠肉部１４内の中間部に位置し、欠肉部１４の底面１４ａと隙間を保ち、かつ本体部外周１１ｃと連続した状態で形成されており、蓋部２０が閉じたときに外周１１ｃと面一になるよう設計されている。
【００１３】
蓋部２０は、薄肉ヒンジ片部１５の一端側１５ａとその外周縁部に連結している。また、蓋部２０は、本体部１１の端面１２ｂと略同じ外径をなし、内面２１に突出されて出口１１ｂに差し込まれる枠状の挿入脚部２２を有している。この挿入脚部２２の両側の枠部分は出口１１ｂの内径Ｌ2に対応した円弧状の片部２３を構成し、その先端外周に係止突部２３ａを形成している。挿入脚部２２の前後の枠部分２４は平行になっていて、その枠部分２４の外面中間に凸部２４ａを形成している。係止突部２３ａは、蓋部２０を閉じる過程で係止突部１３を弾性的に乗り越えて係合する。つまり、係止突部２３ａと係止突部１３とは第１の係合手段を構成している。凸部２４ａは、内面２１に向けて外側へ張り出すテーパーに形成されており、蓋部２０の閉じる過程でテーパーによるガイド作用を経て平面部１２ｅに圧接する。つまり、凸部２４ａと平面部１２ｅとは第２の係合手段を構成している。したがって、以上の蓋部２０は、本体部１１の出口１１ｂに対し前記した第１と第２の係合手段により大きな固定強度で取り付けられる。
【００１４】
以上のように構成された端部カバー１０は、図７に例示される如く、衣服等に組み込まれた紐１の両側の端部分１ａに取り付けられる。この取付要領は、図１（ａ）に示す如く蓋部２０の開状態から、紐１の端部分１ａを本体部１１の入口１１ａから出口１１ｂに通し、その出口１１ｂ外へ引き出された端部分１ａに結び部２を形成した後、紐１を入口１１ａに引っ張ることにより結び部２を含む端部分１ａを本体部１１内に入れる。すると、端部分１ａは、図１（ｂ）に示す如く結び部２が段差１２ｄに当接した状態で、全体が本体部１１内に収納される。この収納状態から、蓋部２０を閉じる。この場合は、蓋部２０を薄肉ヒンジ片部１５を介して回転し、端面１２ｂに対し押し当てるようにする。蓋部２０は、内面２１が端面１２ｂに当接する直前の段階で、各片部２３と枠部分２４が出口１１ｂに入り込み、次の段階で係止突部２３ａが係止突部１３を弾性的に乗り越えると同時に、凸部２４ａが平面部１２ｅに圧接し、出口１１ｂ側を閉じた状態で所定強度にて係止される。
【００１５】
したがって、この形態の端部カバー１０にあっては、本体部１１の出口１１ｂが蓋部２０にて閉じられることから、紐１の端部分１ａが本体部１１の出口１１ｂから不用意に飛び出すということが構造的になくなる。つまり、端部カバー１０は、紐１への取付状態が常に保たれ、出口１１ｂの見栄えを向上することができる。しかも、この蓋部２０の構造では、本体部１１に薄肉ヒンジ片部１５を介して連結されているので、蓋部２０が本体部１１から不用意に外れても落ちる等して無くなると言うことがなくなること、蓋専用の成形型を必要としないこと、本体部１１と一体物として取り扱うことができること、上記した第１と第２の係合手段により本体部１１に対する係合力を大きく付与できること、等の利点がある。更に、薄肉ヒンジ片部１５は、一端側１５ａが蓋部２０の外周縁部に連結されていることに加え、他端側１５ｂが欠肉部１４内に位置して外周１１ｃと連続した状態に形成されているため、蓋部２０を閉じた状態では薄肉ヒンジ片部１５の略全体が外周１１ｃの欠肉部１４内に位置し、外周１１ｃと面一になることから、見栄えが良好となる。
【００１６】
なお、上記形態の端部カバー１０は、装飾機能も重視されることから、全面にシボ加工が施されたり、外周１１ｃ等に彫刻等で装飾処理されることもある。また、本体部１１や蓋部２０の基本形状は、この形態に限られず、例えば、断面多角形に形成することも可能である。また、端部カバー１０の用途ないしは使用される箇所は、上記した形態に限ることなく、各種の部材や部分に設けられる紐１の端部分１ａに取り付けられるものである。
【００１７】
【発明の効果】
以上説明したとおり、本発明に係る紐類の端部カバーは、本体部に対し蓋部を薄肉ヒンジ片部を介して一体に形成していることから、従来品の如く紐の端部分が本体部の出口から飛び出すということを構造的に防いで、紐への取付状態を確実に維持でき、本体部出口側の見栄えを向上できることを前提とし、蓋部が本体部から不用意に外れても落ちる等して無くなると言うような虞がなく、しかも蓋部付きの本体部として常に一体物となっているので、取扱性や蓋部の閉じ操作性に優れている。これにより、この種の端部カバーの信頼性を向上できると共に、用途的にも拡大することが期待できる。
【図面の簡単な説明】
【図１】本発明形態の端部カバーの取付要領と装着状態を示す断面図である。
【図２】上記端部カバーの外観斜視図である。
【図３】上記端部カバー単品を蓋部を閉じ状態で各方向から見た図である。
【図４】図３（ａ）のＡ−Ａ線とＢ−Ｂ線に沿う断面図と側面から見た図である。
【図５】上記端部カバーを蓋部の開状態で示す上面図と図６（ａ）のＥ部拡大図である。
【図６】図５（ａ）のＣ−Ｃ線とＤ−Ｄ線に沿う断面図である。
【図７】上記端部カバーの使用状態例を示す図である。
【符号の説明】
１は紐、１ａは紐の端部分、２は結び部
１０は端部カバー、１１は本体部、１１ａは入口
１１ｂは出口、１１ｃは外周、１２ａ，１２ｂは端面
１３は係止突起、１４は欠肉部、１５は薄肉ヒンジ部
１５ａは一端側、１５ｂは他端側、２０は蓋部
２１は蓋部内面、２３は片部、２３ａは係止突起
【図１】
0003982884.tif 000002
【図２】
0003982884.tif 000003
【図３】
0003982884.tif 000004
【図４】
0003982884.tif 000005
【図５】
0003982884.tif 000006
【図６】
0003982884.tif 000007
【図７】
0003982884.tif 000008